【手続補正書】
【提出日】平成24年8月27日(2012.8.27)
【手続補正１】
【補正対象書類名】特許請求の範囲
【補正対象項目名】全文
【補正方法】変更
【補正の内容】
【特許請求の範囲】
【請求項１】
複数の画素行および複数の画素列を構成するように二次元状に複数の画素が配置された画素アレイを有し、各画素列に第１列読出線および第２列読出線が設けられた固体撮像装置であって、
前記画素アレイを構成する前記複数の画素行は、第１グループの画素行と第２グループの画素行とにグループ分けされており、
各画素が、光電変換素子、前記光電変換素子で発生した電荷を電圧に変換する変換領域、前記光電変換素子で発生した電荷を前記変換領域に転送する転送素子、および、前記変換領域で変換された電圧に応じた信号を出力する増幅素子を含み、
前記第１グループの画素行に属する画素は、当該画素の信号を前記第１列読出線に出力し、前記第２グループの画素行に属する画素は、当該画素の信号を前記第２列読出線に出力し、
前記第１グループの画素行に属する第１画素の前記変換領域と前記第１画素の信号が出力される前記第１列読出線との最短距離が前記第１画素の前記変換領域と前記第２グループの画素行に属する画素の信号が出力される前記第２列読出線との最短距離以下であり、
前記第２グループの画素行に属する第２画素の前記変換領域と前記第２画素の信号が出力される前記第２列読出線との最短距離が前記第２画素の前記変換領域と前記第１グループの画素行に属する画素の信号が出力される前記第１列読出線との最短距離以下であり、
前記第１画素の前記増幅素子が、前記第１画素の信号が出力される前記第１列読出線と前記第１画素の前記光電変換素子との間に配置され、
前記第２画素の前記増幅素子が、前記第２画素の信号が出力される前記第２列読出線と前記第２画素の前記光電変換素子との間に配置されている、
ことを特徴とする固体撮像装置。
【請求項２】
画素列に設けられた前記第１列読出線および前記第２列読出線の間に当該画素列の各画素の前記光電変換素子が配置され、
前記第１グループの画素行に属する前記第１画素の前記光電変換素子と前記第１画素の信号が出力される前記第１列読出線との間に前記第１画素の前記変換領域が配置され、
前記第２グループの画素行に属する前記第２画素の前記光電変換素子と前記第２画素の信号が出力される前記第２列読出線との間に前記第２画素の前記変換領域が配置されている、
ことを特徴とする請求項１に記載の固体撮像装置。
【請求項３】
画素列に設けられた前記第１列読出線および前記第２列読出線の間に当該画素列の各画素の前記光電変換素子が配置され、
前記第１グループの画素行に属する前記第１画素の前記光電変換素子の中心から見て第１方向に前記第１画素の前記転送素子が配置され、
前記第２グループの画素行に属する前記第２画素の前記光電変換素子の中心から見て前記第１方向に前記第２画素の前記転送素子が配置されている、
ことを特徴とする請求項１に記載の固体撮像装置。
【請求項４】
前記第１グループの画素行に属する前記第１画素の前記光電変換素子から見て第２方向に前記第１画素の信号が出力される前記第１列読出線が配置され、
前記第２グループの画素行に属する前記第２画素の前記光電変換素子から見て前記第２方向に前記第２画素の信号が出力される前記第２列読出線が配置され、
前記第１列読出線と前記第２列読出線とがツイスト構造を構成している、
ことを特徴とする請求項１に記載の固体撮像装置。
【請求項５】
複数の画素行および複数の画素列を構成するように二次元状に複数の画素が配置された画素アレイを有し、各画素列に第１列読出線および第２列読出線が設けられた固体撮像装置であって、
前記画素アレイを構成する前記複数の画素行は、第１グループの画素行と第２グループの画素行とにグループ分けされ、前記第１グループは、複数のサブグループにグループ分けされ、前記第２グループは、複数のサブグループにグループ分けされており、
各画素が、光電変換素子および転送素子を含み、
同一の画素列かつ同一のサブグループに属する複数の画素が変換領域および増幅素子を共有し、前記光電変換素子で発生した電荷が前記転送素子によって前記変換領域に転送され、該転送された電荷が前記変換領域で電圧に変換され、該変換された電圧に応じた信号が前記増幅素子によって出力され、
前記第１グループの画素行に属する画素の信号は、前記第１列読出線に出力され、前記第２グループの画素行に属する画素の信号は、前記第２列読出線に出力され、
前記第１グループのサブグループの前記変換領域と当該サブグループの画素の信号が出力される前記第１列読出線との最短距離が当該サブグループの前記変換領域と前記第２グループの信号が出力される前記第２列読出線との最短距離以下であり、
前記第２グループの各サブグループの前記変換領域と当該サブグループの画素の信号が出力される前記第２列読出線との最短距離が当該サブグループの前記変換領域と前記第１グループの信号が出力される前記第１列読出線との最短距離以下である、
ことを特徴とする固体撮像装置。
【請求項６】
前記第１グループの画素行は、奇数行の画素行であり、前記第２グループの画素行は、偶数行の画素行である、
ことを特徴とする請求項１乃至５のいずれか１項に記載の固体撮像装置。
【請求項７】
前記画素アレイの領域にＲＧＢの３色のカラーフィルタからなる原色フィルタが設けられていることを特徴とする請求項１乃至６のいずれか１項に記載の固体撮像装置。
【請求項８】
前記画素アレイの領域にＹｅ，Ｃｙ，Ｇ，Ｍｇの４色のカラーフィルタからなる補色フィルタが設けられていることを特徴とする請求項１乃至６のいずれか１項に記載の固体撮像装置。
【請求項９】
請求項１乃至８のいずれか１項に記載の固体撮像装置と、
前記固体撮像装置によって得られた信号を処理する信号処理部と、
を備えることを特徴とする撮像装置。
【手続補正２】
【補正対象書類名】明細書
【補正対象項目名】０００７
【補正方法】変更
【補正の内容】
【０００７】
本発明の１つの側面は、複数の画素行および複数の画素列を構成するように二次元状に複数の画素が配置された画素アレイを有し、各画素列に第１列読出線および第２列読出線が設けられた固体撮像装置に関する。前記画素アレイを構成する前記複数の画素行は、第１グループの画素行と第２グループの画素行とにグループ分けされており、各画素が、光電変換素子、前記光電変換素子で発生した電荷を電圧に変換する変換領域、前記光電変換素子で発生した電荷を前記変換領域に転送する転送素子、および、前記変換領域で変換された電圧に応じた信号を出力する増幅素子を含み、前記第１グループの画素行に属する画素は、当該画素の信号を前記第１列読出線に出力し、前記第２グループの画素行に属する画素は、当該画素の信号を前記第２列読出線に出力し、前記第１グループの画素行に属する第１画素の前記変換領域と前記第１画素の信号が出力される前記第１列読出線との最短距離が前記第１画素の前記変換領域と前記第２グループの画素行に属する画素の信号が出力される前記第２列読出線との最短距離以下であり、前記第２グループの画素行に属する第２画素の前記変換領域と前記第２画素の信号が出力される前記第２列読出線との最短距離が前記第２画素の前記変換領域と前記第１グループの画素行に属する画素の信号が出力される前記第１列読出線との最短距離以下であり、前記第１画素の前記増幅素子が、前記第１画素の信号が出力される前記第１列読出線と前記第１画素の前記光電変換素子との間に配置され、前記第２画素の前記増幅素子が、前記第２画素の信号が出力される前記第２列読出線と前記第２画素の前記光電変換素子との間に配置されている。